(57)【要約】【課題】本発明は、口腔内挿入装置に関するもので、口腔内挿入時に前記口腔内挿入部に装着する透明のカバーの装着が困難なこと。【解決手段】そしてこの目的を達成するために本発明は、口腔内挿入装置の前方側に配置した口腔内挿入部に装着するカバーであって、このカバー７は、後方に前記口腔内挿入部を挿入する開口部８を備えた袋体８ａとなっており、この袋体８ａの内面には、前端開口部９ａ、９ｂが、この袋体８ａ内の前方に開口し、後端開口部１０ａ、１０ｂが前記袋体８ａの開口部８外に引き出された管体１１ａ、１１ｂを設けた構成とした。【選択図】図２
2011147692.tif 000002
【特許請求の範囲】
【請求項１】
口腔内挿入装置の前方側に配置した口腔内挿入部に装着するカバーであって、
このカバーは、後方に前記口腔内挿入部を挿入する開口部を備えた袋体となっており、
この袋体の内面には、前端開口部が、この袋体内の前方に開口し、後端開口部が前記袋体の開口部外に引き出された管体を設けたカバー。
【請求項２】
前記管体は、前記袋体の開口部外に引き出された後端開口部にツマミ部を設けた請求項１に記載のカバー。
【請求項３】
前記口腔内挿入装置の口腔内挿入部には撮像窓を有し、前記管体は、この撮像窓の左右両枠にほぼ平行に配置した請求項１または２に記載のカバー。
【請求項４】
前記管体は、断面が円管形状である請求項１から３のいずれか一つに記載のカバー。
【請求項５】
本体ケースと、この本体ケースの前方側に配置した口腔内挿入部と、
この口腔内挿入部に装着する請求項１から４のいずれか一つに記載のカバーと、を備えた口腔内挿入装置。
【請求項６】
前記口腔内挿入装置の前方側に配置した口腔内挿入部には撮像窓を設けた請求項５に記載の口腔内挿入装置。
【発明の詳細な説明】
【技術分野】
【０００１】
本発明は、例えば口腔内カメラなどのように口腔内に挿入する口腔内挿入装置に装着されるカバーと、それを装着した口腔内挿入装置に関するものである。
【背景技術】
【０００２】
従来の口腔内挿入装置の構成は、以下のような構成となっていた。
【０００３】
すなわち、本体ケースと、この本体ケースの前方側に装着した口腔内挿入部と、を備え、
衛生面を向上するために、前記口腔内挿入部を密着性の高い透明のカバーで覆った状態で、この口腔内挿入部を口腔内に挿入するようにしていた（例えば下記特許文献１）。
【先行技術文献】
【特許文献】
【０００４】
【特許文献１】特開平８−２９７０２号公報
【発明の概要】
【発明が解決しようとする課題】
【０００５】
上記従来例における課題は、口腔内挿入時に前記口腔内挿入部に装着する透明のカバーの装着が困難なことであった。
【０００６】
すなわち、衛生面の向上のために、透明のカバーは、口腔内挿入部に、比較的密着性の高い状態で装着されるような形状となっているので、この透明カバーを口腔内挿入部の前方より装着する際には、透明カバーに覆われた口腔内挿入部の先端部付近に空気が溜まり、最終的に口腔内挿入部の先端部分を装着する際には、透明カバーに覆われた口腔内挿入部の先端部付近の空気が圧縮されるために、空気圧が上がり、この空気圧が妨げとなって、透明カバーの装着が困難になってしまうのであった。
【０００７】
そこで本発明は、口腔内挿入時に口腔内挿入部に装着する透明のカバーを容易に装着できるようにすることを目的とするものである。
【課題を解決するための手段】
【０００８】
そして、この目的を達成するために本発明は、口腔内挿入装置の前方側に配置した口腔内挿入部に装着するカバーであって、このカバーは、後方に前記口腔内挿入部を挿入する開口部を備えた袋体となっており、この袋体の内面には、前端開口部が、この袋体内の前方に開口し、後端開口部が前記袋体の開口部外に引き出された管体を設けた構成とし、これにより所期の目的を達成するものである。
【発明の効果】
【０００９】
以上のように本発明は、口腔内挿入装置の前方側に配置した口腔内挿入部に装着するカバーであって、このカバーは、後方に前記口腔内挿入部を挿入する開口部を備えた袋体となっており、この袋体の内面には、前端開口部が、この袋体内の前方に開口し、後端開口部が前記袋体の開口部外に引き出された管体を設けた構成としたものであるので、口腔内挿入時に口腔内挿入部に装着する透明のカバーを容易に装着することができる。
【００１０】
すなわち、本発明においては、前記カバーに設けた管体の前端開口部から後端開口部に空気が抜ける構成となっているので、口腔内挿入部の前方より透明カバーを装着した際に、透明カバーに覆われた口腔内挿入部の先端部付近に溜まった空気が、前記管体を、前端開口部からに後端開口部へ抜け、装着時の空気圧が緩和され、この結果として、口腔内挿入時に口腔内挿入部に装着する透明のカバーを容易に装着することができるのである。
【図面の簡単な説明】
【００１１】
【図１】本発明の一実施形態の斜視図
【図２】その透明カバーの上面図
【図３】その透明カバーを被せた上面図
【図４】その透明カバーを被せた上面図
【図５】その透明カバーを被せた上面図
【図６】その主要部の下面図
【発明を実施するための形態】
【００１２】
以下、本発明の一実施形態を、この口腔内挿入装置の一例として、口腔内カメラに適用したものを、添付図面を用いて説明する。
【００１３】
図１において、１は、ほぼ円筒状の本体ケースで、この本体ケース１の後端側には電源および信号入出用のコード２の一端が接続されており、このコード２の他端は、図示していないが、表示装置を含む本体側と接続されている。
【００１４】
また、この本体ケース１の前方側には、口腔内挿入部３が装着されており、本体ケース１の右側面には、前記表示装置に対して、記録した映像信号の再生、停止、早送り、巻き戻しを操作するための操作パネル４が設けられ、さらに、本体ケース１の上面および下面には、映像信号の記録を行うための記録操作ボタン５が設けられている。
【００１５】
上述した口腔内挿入部３では、この先端下方側には、被写体となる口腔内部を撮像するための撮像窓６が設けられており、この撮像窓６より撮像された映像は、口腔内挿入部３内に配置されたレンズ群を経由して適切な映像光に変換され、この映像光は本体ケース１内に設けられた撮像部によって電気的な映像信号に変換され、コード２を通って本体側の表示装置に送られる。
【００１６】
このように口腔内挿入部３では、先端下方に設けられた撮像窓６を、被写体となる口腔内の、例えば奥歯付近まで近づける必要があり、そのため、口腔内挿入部３自体を口腔内に挿入しなければならない。口腔内においては、唾液などによって口腔内挿入部３が汚れてしまうことが考えられるので、このような汚れから保護するための手段が必要になってくる。この手段としては、口腔内挿入部３を透明のカバーで覆うという手段が考えられる。
【００１７】
図２に、この透明のカバー７の上面図を示す。
【００１８】
この透明のカバー７は、本実施形態の一例である口腔内カメラの前方側に配置した口腔内挿入部３の外表面に装着するカバーであって、このカバー７の前方側を図２における左側、後方側を図２における右側として図示している。
【００１９】
図２に示すように、カバー７は、その後方側に口腔内挿入部３を挿入するための開口部８を備えた袋体８ａとなっており、この袋体８ａの内面には、前端開口部９ａ、９ｂが、この袋体８ａ内の前方側に開口し、後端開口部１０ａ、１０ｂが袋体８ａの開口部８外に引き出された部分に開口した２本の管体１１ａ、１１ｂを設けた構成となっている。
【００２０】
図３に、口腔内挿入部３を上述した透明のカバー７で覆った口腔内カメラの上面図を示す。
【００２１】
図３に示すように、透明のカバー７は、口腔内カメラの口腔内挿入部３と、本体ケース１の前方部分を覆うような、後方が開口した袋形状になっており、柔軟で伸縮自在な部材で作られている。この透明カバー７には、図３に対して右側に開口部８を有しており、口腔内カメラにこの透明カバー７を被せる際には、まず、この開口部８を口腔内挿入部３の先端部１２の外表面に被せて、この開口部８を本体ケース１の後方に向けて引っ張って、最後は、図４のごとく、口腔内挿入部３の先端部１２に、透明カバー７の先端部１３が密着することで、透明カバー７の装着が完了する。
【００２２】
再び図３に戻るが、この透明カバー７の装着時に課題となるのが、透明カバー７の装着の過程で、透明カバー７に覆われた口腔内挿入部３の先端部１２付近の空洞部１４に空気が溜まり、最終的に口腔内挿入部３の先端部分を装着する際には、溜まった空気の空気圧が上がり、この空気圧が妨げとなって、透明のカバー７の装着が困難になってしまうことであった。
【００２３】
この課題を解決するために、本実施形態では、上述したごとく、カバーに設けた管体１１ａ、１１ｂの前端開口部９ａ、９ｂから後端開口部１０ａ、１０ｂに空気が抜けるようにしたものである。つまり、本実施形態によれば、口腔内挿入部３の前方より透明カバー７を装着した際に、透明カバー７に覆われた口腔内挿入部の先端部１２付近の空洞部１４に溜まった空気が、前記管体１１ａ、１１ｂを、前端開口部９ａ、９ｂからに後端開口部１０ａ、１０ｂへ抜けていくので、装着時の空気圧が緩和され、この結果として、口腔内挿入時に口腔内挿入部３に装着する透明のカバー７を容易に装着することができるのである。
【００２４】
さらには、図４に示すように、この透明のカバー７の着脱を容易にするために、管体１１ａ、１１ｂの後端開口部１０ａ、１０ｂには、それぞれツマミ部１５ａ、１５ｂが設けられている。
【００２５】
つまり、着脱時には、図５に示すように、このツマミ部１５ａ、１５ｂを指で保持しながら袋体８ａの開口部８を口腔内挿入部３に対して前方、あるいは、後方に引っ張ることにより、容易にカバー７を口腔内挿入部３から着脱可能となる。
【００２６】
このような着脱時には、管体１１ａ、１１ｂは、カバー７に一体となって着脱されるので、湾曲自在な柔軟性が必要となってくる。そのため、素材としては、例えばポリプロピレン、シリコン等で形成させることが好ましい。
【００２７】
次に、図６に、口腔内挿入部３をカバー７で覆った状態において、口腔内挿入部３の先端部１２の下面図を示す。
【００２８】
また、本実施形態においては、図６に示すように口腔内挿入部３の先端部１２の下面は、撮像窓６の前方側と後方側に２組、計４個の照明素子１６を設けており、この照明素子１６を十分に光らせた状態で、撮像窓６より、撮像部位である口腔内の映像を取り込む構成となっている。
【００２９】
このような構成において、撮像窓６付近に当接したカバー７に、しわや、たるみがあると、その部分で照明が乱反射を起こし、その乱反射した光が撮像窓６から映像信号に重畳して取り込まれてしまい、撮像した映像に映りこみが発生し、見にくいものとなってしまう。
【００３０】
このような問題を解決するために、本実施形態では、管体１１ａ、１１ｂは、この撮像窓６の左右両枠にほぼ平行に配置した構成とした。このような構成において、管体１１ａ、１１ｂは、素材としては、柔軟で弾力性のあるもの、例えばポリプロピレン、シリコン等の材料を使用しており、この断面形状は（図示していないが）円管形状となっている。また、カバー７も柔軟で伸縮自在な弾力性のある素材を使用しているので、カバー７を口腔内挿入部３に装着時には、カバー７は、口腔内挿入部３を締め付けるように装着されており、管体１１ａ、１１ｂは、カバー７と口腔内挿入部３に挟まれた形となり、その力に対して、管体１１ａ、１１ｂの断面は弾性変形をしながらも、円形に戻ろうとする力が働き、この結果、撮像窓６付近のカバー７には張力が働き、しわやたるみがなくなり、よりカバー７と撮像窓６との密着度が高まることとなる。
【００３１】
この結果、撮像窓６付近の映りこみの影響のない映像を取り込むことができるのである。
【産業上の利用可能性】
【００３２】
以上のように本発明は、口腔内挿入装置の前方側に配置した口腔内挿入部に装着するカバーであって、このカバーは、後方に前記口腔内挿入部を挿入する開口部を備えた袋体となっており、この袋体の内面には、前端開口部が、この袋体内の前方に開口し、後端開口部が前記袋体の開口部外に引き出された管体を設けた構成としたものであるので、口腔内挿入時に口腔内挿入部に装着する透明のカバーを容易に装着することができる。
【００３３】
すなわち、本発明においては、前記カバーに設けた管体の前端開口部から後端開口部に空気が抜ける構成となっているので、口腔内挿入部の前方より透明カバーを装着した際に、透明カバーに覆われた口腔内挿入部の先端部付近に溜まった空気が、前記管体を、前端開口部からに後端開口部へ抜け、装着時の空気圧が緩和され、この結果として、口腔内挿入時に口腔内挿入部に装着する透明のカバーを容易に装着することができるのである。
【００３４】
したがって、例えば、口腔内カメラなどの口腔内に挿入する装置全般に広く活用が期待されるものである。
【符号の説明】
【００３５】
１  本体ケース
２  コード
３  口腔内挿入部
４  操作パネル
５  記録操作ボタン
６  撮像窓
７  カバー
８  開口部
９ａ、９ｂ  前端開口部
１０ａ、１０ｂ  後端開口部
１１ａ、１１ｂ  管体
１２  先端部
１３  先端部
１４  空洞部
１５ａ、１５ｂ  ツマミ部
１６  照明素子
【図１】
2011147692.tif 000003
【図２】
2011147692.tif 000004
【図３】
2011147692.tif 000005
【図４】
2011147692.tif 000006
【図５】
2011147692.tif 000007
【図６】
2011147692.tif 000008